(57)【要約】      （修正有）【課題】平面上を走行させて遊ぶこともできるし、遊んでいないときには飾って楽しむこともできる走行玩具を提供する。【解決手段】下部体２０が、上部体１２の下部に移動可能に接続され、回転軸３０の下端を覆う第１の位置と、回転軸の下端を露出させる第２の位置と、を取りうるように構成されている。下部体が第１の位置にあるときには、走行玩具１０を自立させることが可能である。また、下部体が第２の位置にあるときには、下部体に設けられた突起２５と回転軸の下端とが同時に接地可能であり、上部体に内蔵された回転力付与機構によって回転軸を回転させて回転軸の下端を接地させると、突起が地面に接触することで走行玩具が不規則に走行する。【選択図】図１
0003219679.tif 000002
【実用新案登録請求の範囲】
【請求項１】
平面上を不規則に走行する走行玩具であって、
玩具本体と、
前記玩具本体の内部において垂直に支持された回転軸と、
前記回転軸に回転力を付与するための回転力付与機構と、
を備え、
前記玩具本体は、前記回転力付与機構を内蔵した上部体と、前記上部体の下部に移動可能に接続された下部体と、を備え、
前記回転軸は、下端が前記上部体から突出するように配置されており、
前記下部体は、前記回転軸の下端を覆う第１の位置と、前記回転軸の下端を露出させる第２の位置と、を取りうるように構成されており、
前記下部体が前記第１の位置にあるときには、前記走行玩具を自立させることが可能であり、
前記下部体が前記第２の位置にあるときには、前記下部体に設けられた突起と前記回転軸の下端とが同時に接地可能であり、前記回転力付与機構によって前記回転軸を回転させて前記回転軸の下端を接地させると、前記突起が地面に接触することで前記走行玩具が不規則に走行するように構成されていることを特徴とする、走行玩具。
【請求項２】
前記下部体は、前記上部体に対して回動可能に接続されていることを特徴とする、請求項１記載の走行玩具。
【請求項３】
前記玩具本体は、人形形状であり、
前記上部体は、前記人形形状の頭部側を模した形状であり、
前記下部体は、前記人形形状の脚部側を模した形状であることを特徴とする、請求項１または２記載の走行玩具。
【請求項４】
前記回転力付与機構は、回転可能に設けられたリールと、前記リールに巻き回されて前記玩具本体の外部に引き出された紐体と、前記リールの一方向の回転力のみを前記回転軸に伝達するワンウェイ機構と、を備え、前記紐体が引き出されたときに前記回転軸に回転力が付与されるように構成されていることを特徴とする、請求項１〜３のいずれか１項に記載の走行玩具。
【考案の詳細な説明】
【技術分野】
【０００１】
この考案は、平面上を不規則に走行する走行玩具に関する。
【背景技術】
【０００２】
本発明者は、特許文献１に示す作動玩具を提案した。この作動玩具は、玩具体の内部にフライホイールを配置し、このフライホイールの回転軸の先端を玩具体の下端から下方に突出させるとともに、玩具体の内部にフライホイールに回転力を付与するための回転力付与機構を備えたことを特徴としている。この作動玩具は、コマのように回転させて遊ぶことができる。また、玩具の下端に接地面に接触可能な突起を設ければ、この突起が接地面に接触することで不規則な動きをさせることができる。
【先行技術文献】
【特許文献】
【０００３】
【特許文献１】実用新案登録第３１６９６８２号公報
【考案の概要】
【考案が解決しようとする課題】
【０００４】
しかし、上記した特許文献１記載の玩具は、遊んでいないときには横に倒れてしまうため、飾って楽しむということができなかった。
そこで、本考案は、平面上を走行させて遊ぶこともできるし、遊んでいないときには飾って楽しむこともできる走行玩具を提供することを課題とする。
【課題を解決するための手段】
【０００５】
本考案は、上記した課題を解決するためになされたものであり、平面上を不規則に走行する走行玩具であって、玩具本体と、前記玩具本体の内部において垂直に支持された回転軸と、前記回転軸に回転力を付与するための回転力付与機構と、を備え、前記玩具本体は、前記回転力付与機構を内蔵した上部体と、前記上部体の下部に移動可能に接続された下部体と、を備え、前記回転軸は、下端が前記上部体から突出するように配置されており、前記下部体は、前記回転軸の下端を覆う第１の位置と、前記回転軸の下端を露出させる第２の位置と、を取りうるように構成されており、前記下部体が前記第１の位置にあるときには、前記走行玩具を自立させることが可能であり、前記下部体が前記第２の位置にあるときには、前記下部体に設けられた突起と前記回転軸の下端とが同時に接地可能であり、前記回転力付与機構によって前記回転軸を回転させて前記回転軸の下端を接地させると、前記突起が地面に接触することで前記走行玩具が不規則に走行するように構成されていることを特徴とする。
【考案の効果】
【０００６】
本考案は上記の通りであり、下部体は、回転軸の下端を覆う第１の位置と、回転軸の下端を露出させる第２の位置と、を取りうるように構成されており、下部体が第１の位置にあるときには、走行玩具を自立させることが可能である。よって、遊んでいないときには走行玩具を自立させて飾って楽しむことができる。
【０００７】
また、下部体が第２の位置にあるときには、下部体に設けられた突起と回転軸の下端とが同時に接地可能であり、回転力付与機構によって回転軸を回転させて回転軸の下端を接地させると、突起が地面に接触することで走行玩具が不規則に走行するように構成されている。すなわち、下部体が移動することで走行可能な状態となる。そして、回転軸を回転させて走行玩具を地面に置くと、走行玩具がコマのように回転しながら不規則に走行する。よって、面白みのある動きを実現することができる。
【０００８】
また、下部体は、上部体に対して回動可能に接続されていてもよい。このような構成によれば、下部体を回動させるだけで、走行玩具を自立させる状態と走行させる状態とを切り替えることができる。
【０００９】
また、玩具本体を人形形状とし、上部体が頭部側を模した形状、下部体が脚部側を模した形状としてもよい。このような構成によれば、走行玩具を自立させるときに頭部側の上部体の下に脚部側の下部体が配置された状態となり、すなわち人形形状が立った状態となるので、自立させて飾るのに適した形状とすることができる。
【００１０】
また、回転力付与機構は、回転可能に設けられたリールと、リールに巻き回されて玩具本体の外部に引き出された紐体と、リールの一方向の回転力のみを回転軸に伝達するワンウェイ機構と、を備え、紐体が引き出されたときに回転軸に回転力が付与されるように構成されていてもよい。このような構成によれば、走行玩具に内蔵された機構のみで回転力付与機構を構成することができ、例えばラックギアなどを使用しなくても走行玩具を走行させることができる。このため、飾っていた走行玩具を手に取って下部体を移動させ、紐体を引くだけで遊ぶことができる。このように、手軽に遊べる走行玩具を提供することができる。
【図面の簡単な説明】
【００１１】
【図１】（ａ）下部体が第１の位置にあるときの走行玩具を正面側から見た外観斜視図、（ｂ）下部体が第１の位置にあるときの走行玩具を背面側から見た外観斜視図、（ｃ）下部体が第２の位置にあるときの走行玩具を正面側から見た外観斜視図、（ｄ）下部体が第２の位置にあるときの走行玩具を背面側から見た外観斜視図である。
【図２】（ａ）下部体が第１の位置にあるときの走行玩具の正面図、（ｂ）下部体が第１の位置にあるときの走行玩具の側面図、（ｃ）下部体が第２の位置にあるときの走行玩具の正面図、（ｄ）下部体が第２の位置にあるときの走行玩具の側面図である。
【図３】（ａ）上部体と下部体との係合箇所を示す外観図、（ｂ）下部体が第１の位置にあるときの上部体と下部体との係合を説明するための図、（ｃ）下部体が第２の位置にあるときの上部体と下部体との係合を説明するための図である。
【図４】上部体に収容された機構を示す外観斜視図である。
【図５】上部体に収容された機構の分解斜視図である。
【図６】（ａ）リールが紐体の引き出し方向に回転しているときのギアの噛合を示す平面図、（ｂ）リールが回転していないとき、または、リールが紐体の巻き取り方向に回転しているときのギアの噛合を示す平面図である。
【考案を実施するための形態】
【００１２】
本考案の実施形態について、図を参照しつつ説明する。
本実施形態に係る走行玩具１０は、平面上を不規則に走行するものであり、図１および図２に示すように、人形形状の玩具本体１１を備えている。この玩具本体１１は、図３（ａ）に示すように、上部体１２と下部体２０とからなる。
【００１３】
本実施形態に係る上部体１２は、人形形状の頭部側（具体的には首から上の部分）を模した形状で形成されている。この上部体１２は、走行玩具１０を駆動するための機構（後述する回転軸３０、フライホイール３５、回転力付与機構４０）を内蔵している。
【００１４】
なお、この上部体１２の背面には、後述する紐体４５を通して外部に引き出すための紐穴１３が貫通形成されている。また、この上部体１２の両側面には、図３（ａ）に示すように、下部体２０を回動可能に接続するための回動軸１４が突出形成されている。そして、この回動軸１４の周囲には、後述する係合凸部２２を係合させるための第１係合凹部１５および第２係合凹部１６が凹設されている。第１係合凹部１５および第２係合凹部１６は、互いに回動軸１４を中心に約９０度回転させた位置に形成されている。
【００１５】
また、本実施形態に係る下部体２０は、人形形状の脚部側（具体的には首から下の部分）を模した形状で形成されている。この下部体２０は、上部体１２に対して回動可能に接続されている。すなわち、この下部体２０は、上部体１２の回動軸１４を両側から支持する軸受部２１を備えている。この軸受部２１に回動軸１４が回動可能に取り付けられることで、上部体１２と下部体２０とが回動可能に接続されている。本実施形態においては、上部体１２に対して下部体２０が約９０度の範囲で回動できるようになっている。
【００１６】
また、この軸受部２１付近には、前述した第１係合凹部１５および第２係合凹部１６に係合可能な係合凸部２２が突出形成されている。上部体１２に対して下部体２０を回動させることで、係合凸部２２が一定のクリック感をもって第１係合凹部１５または第２係合凹部１６に係合するようになっている。そして、係合凸部２２が第１係合凹部１５または第２係合凹部１６に嵌まり込むことで、上部体１２と下部体２０とが回動したときの停止位置が決まるように構成されている。
【００１７】
具体的には、下部体２０が回動することで係合凸部２２が第１係合凹部１５に係合すると、下部体２０が図３（ｂ）に示す第１の位置で位置決めされるようになっている。この状態では、図１（ａ）（ｂ）や図２（ａ）（ｂ）に示すように、上部体１２と下部体２０とが上下に直列的に配置される。また、この状態では、下部体２０が後述する回転軸３０の下端を覆うようになっている。すなわち、下部体２０がこの第１の位置にあるときには、回転軸３０が露出しないので、走行させて遊ぶことはできないようになっている。ただし、下部体２０の底面２３は平らに形成されているため、下部体２０の底面２３を接地させることで、走行玩具１０を自立させることが可能となっている。
【００１８】
また、下部体２０が回動することで係合凸部２２が第２係合凹部１６に係合すると、下部体２０が図３（ｃ）に示す第２の位置で位置決めされるようになっている。この状態では、図１（ｃ）（ｄ）や図２（ｃ）（ｄ）に示すように、上部体１２と下部体２０とが略直角に配置される。言い換えると、下部体２０の先端が上部体１２の重心から外れた方向（前方）に突出した状態となる。下部体２０がこの第２の位置にあるときには、回転軸３０の下端が露出するようになっており、回転軸３０を接地させることで走行玩具１０を走行させて遊ぶことができるようになっている。
【００１９】
なお、この第２の位置においては、図２（ｃ）（ｄ）に示すように、回動軸１４を垂直にしたときに下部体２０の背面２４が下向きとなるため、この背面２４が地面に臨むことになる。この背面２４には、突起２５が突出形成されている。この突起２５の先端は曲面で形成されている。この突起２５の先端は、下部体２０が第２の位置にあるときには、図２（ｃ）（ｄ）に示すように回転軸３０の軸方向に見て回転軸３０の先端とほぼ同じ高さとなるように形成されている。
【００２０】
このため、下部体２０が第２の位置にあるときには、下部体２０に設けられた突起２５と回転軸３０の下端とが同時に接地可能となっており、後述する回転力付与機構４０によって回転軸３０を回転させて回転軸３０の下端を接地させると、突起２５が地面に接触するようになっている。
【００２１】
具体的には、突起２５が地面に接触していない状態では、走行玩具１０はコマのようにその場で回転する（厳密には、回転軸３０およびフライホイール３５が玩具本体１１の内部で回転し、回転軸３０との間の摩擦力によって玩具本体１１も回転する）。
【００２２】
しかしながら、本実施形態に係る走行玩具１０は上部体１２と下部体２０とがＬ字形に接続されているため、重心がやや前方（下部体２０の突出方向）に偏っている。このため、回転軸３０が前方に傾きやすくなっており、回転軸３０が前方に傾くことで突起２５が地面に接触する。突起２５が地面に接触すると、突起２５と地面との間で摩擦力が働くため、走行玩具１０は、突起２５と地面との接触点を中心とした回転運動をしたり、大きな弧を描いて走行したりする（どういった態様で走行するかは、突起２５と地面との間で生じる摩擦力の強さや、地面の凹凸などによって変化する）。
このように、突起２５が地面に接触することで、走行玩具１０が不規則に走行するように構成されている。
【００２３】
なお、本実施形態に係る下部体２０は、上部体１２に対して回動可能に接続されているが、上部体１２と下部体２０との接続方法はこれに限らず、下部体２０は上部体１２の下部に移動可能に接続されていればよい。例えば、下部体２０を上部体１２から取り外し可能としてもよいし、下部体２０が上部体１２に対してスライドするように構成してもよいし、上部体１２と下部体２０とをリンク機構で接続するようにしてもよい。
【００２４】
また、上記した玩具本体１１の内部には、図４に示すような機構が内蔵されている。この機構は、図５に示すように、回転軸３０と、フライホイール３５と、回転力付与機構４０と、を備えている。
【００２５】
回転軸３０は、玩具本体１１の内部において垂直に支持される軸部材である。この回転軸３０は、図５に示すように、軸本体３１と接地部材３２とを組み合わせて構成されている。軸本体３１は、玩具本体１１に固定されたリング部材３３によって回転可能に支持されており、玩具本体１１の内部で回転可能となっている。軸本体３１の下端には、接地部材３２が取り付けられており、この接地部材３２が上部体１２から突出するようになっている。
【００２６】
フライホイール３５は、回転軸３０の回転を安定させるための部材である。このフライホイール３５は、回転軸３０の慣性モーメントを大きくするために回転軸３０に固定される金属製部品である。このフライホイール３５を設けることで、回転軸３０の回転を安定させることができる。
【００２７】
なお、このフライホイール３５は、ホイールギア３６を介して回転軸３０に固定される。ホイールギア３６は、回転軸３０の上端付近に固定される筒状部材である。このホイールギア３６は、フライホイール３５の中央に設けられた穴に挿入される挿入部３６ａと、フライホイール３５の上方で露出するギア部３６ｂと、を備える。フライホイール３５の穴にホイールギア３６を挿入し、ホイールギア３６の中空部に回転軸３０を挿入することで、フライホイール３５とホイールギア３６と回転軸３０とが一体的に固定される。このため、後述するようにホイールギア３６のギア部３６ｂが回転すると、回転軸３０やフライホイール３５も一体的に回転するように構成されている。
【００２８】
回転力付与機構４０は、回転軸３０に回転力を付与するための機構である。この回転力付与機構４０は、図５に示すように、支持部材４１と、リール４４と、紐体４５と、ワンウェイ機構４６と、リコイルバネ５０と、を備える。
【００２９】
支持部材４１は、リール４４やギアなどの部材を取り付けるための部材であり、玩具本体１１に固定されている。本実施形態に係る支持部材４１は、上部支持部材４２と下部支持部材４３との２つの部品を組み合わせることで構成されており、この２つの部品の間に挟み込むように各種の部品が組み付けられている。
【００３０】
具体的には、この支持部材４１は、リール４４を収容するためのリール収容孔４２ａと、リール４４を回転可能に支持するリール支軸４３ａと、を備えている。リール４４は、リール収容孔４２ａの内部で、リール支軸４３ａに回転可能に取り付けられている。
【００３１】
また、この支持部材４１は、第１ギア４７（後述）の回転軸を回転可能に支持する第１ギア支持孔４３ｂと、第２ギア４８（後述）の回転軸を回転可能に支持する第２ギア支持孔４３ｃと、第３ギア４９（後述）の回転軸を回転可能に支持する第３ギア支持孔４３ｄと、を備えている。なお、第１ギア支持孔４３ｂおよび第２ギア支持孔４３ｃは単なる丸穴であるが、第３ギア支持孔４３ｄは長穴で形成されている。このため、第３ギア４９は、第３ギア支持孔４３ｄの長手方向に沿って水平方向に移動可能となっている。
【００３２】
リール４４は、ホイール状の部材であり、中心部に貫通形成された孔に上記したリール支軸４３ａを貫通させることで、リール支軸４３ａに回転自在に取り付けられている。このリール４４の周囲には、紐体４５を巻き回すためのリール溝４４ａが形成されている。また、このリール４４の外周には、後述する第１ギア４７に噛合するリールギア部４４ｂが形成されている。リール４４が回転すると、その回転力はリールギア部４４ｂを介して第１ギア４７に伝達されるようになっている。
【００３３】
紐体４５は、リール４４のリール溝４４ａに巻回されており、一端がリール４４に固定されるとともに、他端が玩具本体１１に形成された紐穴１３から玩具本体１１の外部に引き出されている。引き出された紐体４５の端部には、使用者が紐体４５を掴みやすく、かつ引き出しやすくするための端部材４５ａが取り付けられている。使用者が玩具本体１１の外部に引き出された紐体４５を牽引すると、リール支軸４３ａを回転軸としてリール４４が回転するようになっている。
【００３４】
リコイルバネ５０は、支持部材４１とリール４４との間に配置され、一端側が支持部材４１に固定されるとともに、他端がリール４４に固定されている。紐体４５が牽引操作されてリール４４が回転すると、リコイルバネ５０に回転力が蓄力され、紐体４５が離されたときに、リコイルバネ５０に蓄力された回転力でリール４４が逆回転するようになっている。このようにリール４４が逆回転することで、玩具本体１１の外側へ引き出された紐体４５がリール４４に巻き戻されるようになっている。
【００３５】
ワンウェイ機構４６は、リール４４の一方向の回転力のみを回転軸３０に伝達するための機構である。このワンウェイ機構４６を設けることで、紐体４５が引き出されたときに回転軸３０に回転力が付与され、逆に、紐体４５が巻き戻されるときには回転軸３０に回転力が付与されないように構成されている。
【００３６】
このワンウェイ機構４６は、第１ギア４７、第２ギア４８、第３ギア４９を備えている。これらのギアは、リール４４の回転力を回転軸３０に伝達する経路上に配置されている。具体的には、リール４４が所定の方向に回転すると、その回転力がリールギア部４４ｂから第１ギア４７に伝達され、第１ギア４７から第２ギア４８に伝達され、第２ギア４８から第３ギア４９に伝達され、第３ギア４９からホイールギア３６のギア部３６ｂに伝達される。このように伝達されてホイールギア３６が回転すると、ホイールギア３６と一体的に回転軸３０が回転する。
【００３７】
ただし、このような回転力の伝達は、リール４４が所定の方向に回転した場合に限られる。すなわち、図６（ａ）および（ｂ）に示すように、第３ギア支持孔４３ｄは、回転軸３０を中心にして径方向に延びており、このため、第３ギア４９の軸も回転軸３０の径方向に移動可能となっている。このため、図６（ａ）に示すように、紐体４５が引き出されてリール４４が回転したとき（図６（ａ）で時計回りにリール４４が回転したとき）には、第３ギア４９がホイールギア３６の方向に押し付けられてギア部３６ｂに噛合する。よって、第３ギア４９の回転力がホイールギア３６に伝達される。一方、図６（ｂ）に示すように、紐体４５が巻き戻される方向にリール４４が回転したとき（図６（ｂ）で反時計回りにリール４４が回転したとき）には、第３ギア４９がホイールギア３６から遠ざかる方向に押されるので、ギア部３６ｂに噛合しない。よって、第３ギア４９の回転力がホイールギア３６に伝達されない。このため、紐体４５が牽引操作されて回転軸３０が回転した後に、リール４４が逆回転して紐体４５を巻き取っても、このときのリール４４の回転力は回転軸３０に伝わらないので、回転軸３０の回転を妨げないようになっている。
【００３８】
以上説明したように、本実施形態によれば、下部体２０は、回転軸３０の下端を覆う第１の位置と、回転軸３０の下端を露出させる第２の位置と、を取りうるように構成されており、下部体２０が第１の位置にあるときには、走行玩具１０を自立させることが可能である。よって、遊んでいないときには走行玩具１０を自立させて飾って楽しむことができる。
【００３９】
また、下部体２０が第２の位置にあるときには、下部体２０に設けられた突起２５と回転軸３０の下端とが同時に接地可能であり、回転力付与機構４０によって回転軸３０を回転させて回転軸３０の下端を接地させると、突起２５が地面に接触することで走行玩具１０が不規則に走行するように構成されている。すなわち、下部体２０が移動することで走行可能な状態となる。そして、回転軸３０を回転させて走行玩具１０を地面に置くと、走行玩具１０がコマのように回転しながら不規則に走行する。よって、面白みのある動きを実現することができる。
【００４０】
また、下部体２０は、上部体１２に対して回動可能に接続されている。このような構成によれば、下部体２０を回動させるだけで、走行玩具１０を自立させる状態と走行させる状態とを切り替えることができる。
【００４１】
また、玩具本体１０を人形形状とし、上部体１２が頭部側を模した形状、下部体２０が脚部側を模した形状としている。このような構成によれば、走行玩具１０を自立させるときに頭部側の上部体１２の下に脚部側の下部体２０が配置された状態となり、すなわち人形形状が立った状態となるので、自立させて飾るのに適した形状とすることができる。
【００４２】
また、回転力付与機構４０は、回転可能に設けられたリール４４と、リール４４に巻き回されて玩具本体１１の外部に引き出された紐体４５と、リール４４の一方向の回転力のみを回転軸３０に伝達するワンウェイ機構４６と、を備え、紐体４５が引き出されたときに回転軸３０に回転力が付与されるように構成されている。このような構成によれば、走行玩具１０に内蔵された機構のみで回転力付与機構４０を構成することができ、例えばラックギアなどを使用しなくても走行玩具１０を走行させることができる。このため、飾っていた走行玩具１０を手に取って下部体２０を移動させ、紐体４５を引くだけで遊ぶことができる。このように、手軽に遊べる走行玩具１０を提供することができる。
【符号の説明】
【００４３】
１０  走行玩具
１１  玩具本体
１２  上部体
１３  紐穴
１４  回動軸
１５  第１係合凹部
１６  第２係合凹部
２０  下部体
２１  軸受部
２２  係合凸部
２３  底面
２４  背面
２５  突起
３０  回転軸
３１  軸本体
３２  接地部材
３３  リング部材
３５  フライホイール
３６  ホイールギア
３６ａ  挿入部
３６ｂ  ギア部
４０  回転力付与機構
４１  支持部材
４２  上部支持部材
４２ａ  リール収容孔
４３  下部支持部材
４３ａ  リール支軸
４３ｂ  第１ギア支持孔
４３ｃ  第２ギア支持孔
４３ｄ  第３ギア支持孔
４４  リール
４４ａ  リール溝
４４ｂ  リールギア部
４５  紐体
４５ａ  端部材
４６  ワンウェイ機構
４７  第１ギア
４８  第２ギア
４９  第３ギア
５０  リコイルバネ
【図１】
0003219679.tif 000003
【図２】
0003219679.tif 000004
【図３】
0003219679.tif 000005
【図４】
0003219679.tif 000006
【図５】
0003219679.tif 000007
【図６】
0003219679.tif 000008